(57)【特許請求の範囲】
【請求項１】
検針親無線機と複数の検針子無線機とを備えた自動検針システムにおいて、
（ａ）検針親無線機から複数の検針子無線機に対して一括検針指示電文信号を送信した後、複数の検針子無線機からの検針データを含む検針応答電文信号を検針親無線機で受信し、受信した検針応答電文信号に含まれる検針データをまとめて検針データ収集センターシステムに対して返信する一括検針方法と、
（ｂ）検針親無線機から各検針子無線機毎に順次検針指示電文信号を送信して当該各１つの検針子無線機からの検針データを含む検針応答電文信号を検針親無線機で受信し、受信した検針応答電文信号に含まれる検針データをまとめて検針データ収集センターシステムに対して返信する順次検針方法とのうちの少なくとも１つの方法を用いて検針を行う自動検針方法であって、
検針親無線機毎に、過去の自動検針方法による検針において、
（ａ）上記一括検針方法により一括検針指示電文信号を送信した検針子無線機の第１ののべ個数（Ｎ）と、上記一括検針指示電文信号に応答して検針子無線機から送信されてくる検針応答電文信号を受信して検針が成功した検針子無線機の第２ののべ個数（ｎ）と、
（ｂ）上記順次検針方法により順序検針指示電文信号を送信した検針子無線機の第３ののべ個数（Ｎ）と、上記順次検針指示電文信号に応答して検針子無線機から送信されてくる検針応答電文信号を受信して検針が成功した検針子無線機の第４ののべ個数（ｎ）と
を含む検針実績データテーブル（４２）を記憶装置に記憶するステップと、
上記記憶装置に上記検針親無線機毎に記憶された検針実績データテーブルに基づいて、上記第１ののべ個数（Ｎ）及び上記第２ののべ個数（ｎ）に基づいて、上記一括検針方法による上記第１ののべ個数（Ｎ）の検針子無線機に対する検針１回当りの第１の検針成功率（Ｓ）を計算し、上記第３ののべ個数（Ｎ）及び上記第４ののべ個数（ｎ）に基づいて、上記順次検針方法による上記第３ののべ個数（Ｎ）の検針子無線機に対する検針１回当りの第２の検針成功率（Ｓ）を計算するステップと、
上記検針親無線機毎に、少なくとも１回の一括検針方法による第１の検針指示パターンと、少なくとも１回の順次検針方法による第２の検針指示パターンと、少なくとも１回の一括検針方法による検針を実施した後検針不可で残った検針子無線機で上記順次検針方法による検針を実施する第３の検針指示パターンとを含む各検針指示パターンにおいて、当該一括検針方法による検針回数（Ｘ）及び当該順次検針方法による検針回数（Ｙ）（ここで、Ｘ，Ｙはそれぞれ０以上の整数である。）と、上記計算された第１の検針成功率（Ｓ＝ａ）及び上記計算された第２の検針成功率（Ｓ＝ｂ）とに基づいて、当該各検針指示パターンに対する第３の検針成功率（ＤＳ）とを計算するステップと、
上記検針親無線機毎に、上記第３の検針成功率（ＤＳ）が所定のしきい値以上であるときの検針指示パターンを計算し、その中で効率的な検針を実行するための所定の検針条件を満たす検針指示パターンを選択して検針を行うステップとを含むことを特徴とする自動検針方法。
【請求項２】
上記第３の検針成功率（ＤＳ）は、次式：
ＤＳ＝１−（１−ａ）Ｘ×（１−ｂ）Ｙ
を用いて計算することを特徴とする請求項１記載の自動検針方法。
【請求項３】
上記検針条件は、上記一括検針方法による検針回数（Ｘ）と上記順次検針方法による検針回数（Ｙ）の加算値である検針指示回数が最も少ない回数でかつ検針時間が最も短い検針指示パターンであることを特徴とする請求項１又は２記載の自動検針方法。
【請求項４】
自動検針装置と、検針親無線機と、複数の検針子無線機とを備えた自動検針システムのための自動検針装置において、
上記自動検針装置は、所定の第１の通信回線を介して検針親無線機に接続され、
上記検針親無線機は、所定の第２の通信回線を介して上記各検針子無線機にそれぞれ接続され、
上記自動検針装置は、
（ａ）検針親無線機から複数の検針子無線機に対して一括検針指示電文信号を送信した後、複数の検針子無線機からの検針データを含む検針応答電文信号を検針親無線機で受信し、受信した検針応答電文信号に含まれる検針データをまとめて検針データ収集センターシステムに対して返信する一括検針方法と、
（ｂ）検針親無線機から各検針子無線機毎に順次検針指示電文信号を送信して当該各１つの検針子無線機からの検針データを含む検針応答電文信号を検針親無線機で受信し、受信した検針応答電文信号に含まれる検針データをまとめて検針データ収集センターシステムに対して返信する順次検針方法とのうちの少なくとも１つの方法を用いて検針を行う自動検針装置であって、
上記自動検針装置は、
検針親無線機毎に、過去の自動検針装置による検針において、
（ａ）上記一括検針方法により一括検針指示電文信号を送信した検針子無線機の第１ののべ個数（Ｎ）と、上記一括検針指示電文信号に応答して検針子無線機から送信されてくる検針応答電文信号を受信して検針が成功した検針子無線機の第２ののべ個数（ｎ）と、
（ｂ）上記順次検針方法により順序検針指示電文信号を送信した検針子無線機の第３ののべ個数（Ｎ）と、上記順次検針指示電文信号に応答して検針子無線機から送信されてくる検針応答電文信号を受信して検針が成功した検針子無線機の第４ののべ個数（ｎ）と
を含む検針実績データテーブル（４２）を記憶する記憶装置と、
上記記憶装置に上記検針親無線機毎に記憶された検針実績データテーブルに基づいて、上記第１ののべ個数（Ｎ）及び上記第２ののべ個数（ｎ）に基づいて、上記一括検針方法による上記第１ののべ個数（Ｎ）の検針子無線機に対する検針１回当りの第１の検針成功率（Ｓ）を計算し、上記第３ののべ個数（Ｎ）及び上記第４ののべ個数（ｎ）に基づいて、上記順次検針方法による上記第３ののべ個数（Ｎ）の検針子無線機に対する検針１回当りの第２の検針成功率（Ｓ）を計算し、
上記検針親無線機毎に、少なくとも１回の一括検針方法による第１の検針指示パターンと、少なくとも１回の順次検針方法による第２の検針指示パターンと、少なくとも１回の一括検針方法による検針を実施した後検針不可で残った検針子無線機で上記順次検針方法による検針を実施する第３の検針指示パターンとを含む各検針指示パターンにおいて、当該一括検針方法による検針回数（Ｘ）及び当該順次検針方法による検針回数（Ｙ）（ここで、Ｘ，Ｙはそれぞれ０以上の整数である。）と、上記計算された第１の検針成功率（Ｓ＝ａ）及び上記計算された第２の検針成功率（Ｓ＝ｂ）とに基づいて、当該各検針指示パターンに対する第３の検針成功率（ＤＳ）とを計算し、
上記検針親無線機毎に、上記第３の検針成功率（ＤＳ）が所定のしきい値以上であるときの検針指示パターンを計算し、その中で効率的な検針を実行するための所定の検針条件を満たす検針指示パターンを選択して検針を行う制御手段とを備えたことを特徴とする自動検針装置。
【請求項５】
上記第３の検針成功率（ＤＳ）は、次式：
ＤＳ＝１−（１−ａ）Ｘ×（１−ｂ）Ｙ
を用いて計算することを特徴とする請求項４記載の自動検針装置。
【請求項６】
上記検針条件は、上記一括検針方法による検針回数（Ｘ）と上記順次検針方法による検針回数（Ｙ）の加算値である検針指示回数が最も少ない回数でかつ検針時間が最も短い検針指示パターンであることを特徴とする請求項４又は５記載の自動検針装置。
【請求項７】
検針親無線機と、複数の検針子無線機とを備えた自動検針システムにおいて、
上記自動検針システムは、請求項４乃至６のうちのいずれか１つに記載の自動検針装置をさらに備え、
上記自動検針装置は、所定の第１の通信回線を介して検針親無線機に接続され、
上記検針親無線機は、所定の第２の通信回線を介して上記各検針子無線機にそれぞれ接続されたことを特徴とする自動検針システム。
【請求項８】
請求項１乃至３のうちの１つに記載の自動検針方法のプログラムを記録したことを特徴とする自動検針方法のプログラムを記録した記録媒体。
【発明の詳細な説明】
【０００１】
【発明の属する技術分野】
本発明は、電気、ガス、水道などの外部装置から連続的に供給される消費財の使用量を自動的に検針する自動検針無線システムにおいて検針親無線機を介して検針子無線機にアクセスして検針データを収集するための自動検針方法及び装置、自動検針システム並びに自動検針プログラムを記録した記録媒体に関する。
【０００２】
【従来の技術】
図６は、従来例の固定式自動検針無線システムの構成を示すブロック図である。この自動検針無線システムは、図６に示すように、検針データ収集センター１００に設けられた検針データ収集センター装置１０１と、検針対象エリア２００内に設けられた検針親無線機（以下、親機という。）１０とが、電話回線３００及び端末側網制御装置（以下、Ｔ−ＮＣＵという。）２０１を介して接続されて構成される。ここで、Ｔ−ＮＣＵ２０１は、検針親無線機１０から検針データ収集センター装置１０１への発呼処理及び検針データ収集センター装置１０１から検針親無線機１０への着呼処理を実行して、電話回線３００を制御するものである。なお、電話回線３００に代えて、専用線などの有線回線、もしくはＰＨＳ無線回線などの無線回線を用いて行う場合がある。この場合、Ｔ−ＮＣＵに代えて各回線用のモデム装置を用いてデータ通信を行う。
【０００３】
検針親無線機１０は、検針データ収集センター装置１０１から、検針すべきマイコンガスメータ２１−１乃至２１−Ｎ（総称して、符号２１を付す。）に接続された検針子無線機（以下、子機という。）２０−１乃至２０−Ｎ（総称して、符号２０を付す。）の子機ＩＤを含む検針指示電文信号を受信したとき、当該検針指示電文信号を例えばＦＳＫなどの無線変調方式で変調してアンテナ１０ａから子機２０のアンテナ２０ａ−１乃至２０ａ−Ｎ（総称して、符号２０ａを付す。）に向けて無線送信する。これに応答して、子機２０は当該無線信号を受信した後、検針指示電文信号を復調して自己が該当する子機であるか否かを判断し、該当するとき、記憶している検針データを含む検針応答電文信号を例えばＦＳＫなどの無線変調方式で変調してアンテナ２０ａから親機１０のアンテナ１０ａに向けて無線送信する。これに応答して、親機１０は、無線信号を受信した後、検針応答電文信号を復調し、次いで、復調した検針応答電文信号を所定の電話回線を用いた変調方式で変調した後、Ｔ−ＮＣＵ２０１及び電話回線３００を介して検針データ収集センター装置１０１に送信する。そして、検針データ収集センター装置１０１は、受信した検針応答電文信号から検針データを取り出して記憶装置に記憶した後、所定のデータ処理を実行する。
【０００４】
ところで、上記検針指示電文信号を用いてマイコンメータ２１の検針を行う方法としては、次の２つの検針方法がある。
（ａ）一括検針方法：検針データ収集センターシステム１０１から一括検針指示電文信号を親機１０に対して送信し、これに応答して親機１０は１つの一括検針指示電文信号を複数の子機２０に対して送信した後、複数の子機２０からの検針応答電文信号を予め決められたタイムスロットで時間的に重ならないように親機１０で受信して、複数の子機２０に関する検針データをまとめて検針応答電文信号として検針データ収集センターシステム１０１に対して返信する。この方法では、検針時間は短くて済むが、検針成功率は低いという特徴を有する。
（ｂ）順次検針方法：検針データ収集センターシステム１０１から順次検針指示電文信号を親機１０に対して送信し、これに応答して親機１０は順次検針指示電文信号を１つの子機２０に対して送信した後、当該子機２０からの検針応答電文信号を受信し、親機１０はこの処理を親機１０に属する子機２０に対して繰り返し、属するすべての子機２０に対する処理が終了すれば、属する複数の子機２０に関する検針データをまとめて検針応答電文信号として検針データ収集センターシステム１０１に対して返信する。この方法では、検針時間は長くかかるが、検針成功率は高いという特徴を有する。
【０００５】
なお、一括検針指示電文信号や順次検針指示電文信号には検針すべき子機ＩＤの情報が含まれている。また、例えば、一括検針方法を用いて検針した後、２回目以降に一括検針方法又は順次検針方法をする場合は、検針できなかった子機２０に対してのみ実行する。
【０００６】
【発明が解決しようとする課題】
従来例の自動検針無線システムでは、一括検針方法と順次検針方法とを組み合わせれば、最適な検針方法が得られると考えられるが、どのようなパターンで組み合わせれば最適な検針方法となるかはわからなかった。
【０００７】
本発明の目的は以上の問題点を解決し、自動的に一括検針方法と順次検針方法との最適な組み合わせパターンを決定して自動的に検針を行うことができる検針方法及び装置、自動検針システム並びに自動検針プログラムを記録した記録媒体を提供することにある。
【０００８】
【課題を解決するための手段】
第１の発明に係る自動検針方法は、検針親無線機と複数の検針子無線機とを備えた自動検針システムにおいて、
（ａ）検針親無線機から複数の検針子無線機に対して一括検針指示電文信号を送信した後、複数の検針子無線機からの検針データを含む検針応答電文信号を検針親無線機で受信し、受信した検針応答電文信号に含まれる検針データをまとめて検針データ収集センターシステムに対して返信する一括検針方法と、
（ｂ）検針親無線機から各検針子無線機毎に順次検針指示電文信号を送信して当該各１つの検針子無線機からの検針データを含む検針応答電文信号を検針親無線機で受信し、受信した検針応答電文信号に含まれる検針データをまとめて検針データ収集センターシステムに対して返信する順次検針方法とのうちの少なくとも１つの方法を用いて検針を行う自動検針方法であって、
検針親無線機毎に、過去の自動検針方法による検針において、
（ａ）上記一括検針方法により一括検針指示電文信号を送信した検針子無線機の第１ののべ個数（Ｎ）と、上記一括検針指示電文信号に応答して検針子無線機から送信されてくる検針応答電文信号を受信して検針が成功した検針子無線機の第２ののべ個数（ｎ）と、
（ｂ）上記順次検針方法により順序検針指示電文信号を送信した検針子無線機の第３ののべ個数（Ｎ）と、上記順次検針指示電文信号に応答して検針子無線機から送信されてくる検針応答電文信号を受信して検針が成功した検針子無線機の第４ののべ個数（ｎ）と
を含む検針実績データテーブル（４２）を記憶装置に記憶するステップと、
上記記憶装置に上記検針親無線機毎に記憶された検針実績データテーブルに基づいて、上記第１ののべ個数（Ｎ）及び上記第２ののべ個数（ｎ）に基づいて、上記一括検針方法による上記第１ののべ個数（Ｎ）の検針子無線機に対する検針１回当りの第１の検針成功率（Ｓ）を計算し、上記第３ののべ個数（Ｎ）及び上記第４ののべ個数（ｎ）に基づいて、上記順次検針方法による上記第３ののべ個数（Ｎ）の検針子無線機に対する検針１回当りの第２の検針成功率（Ｓ）を計算するステップと、
上記検針親無線機毎に、少なくとも１回の一括検針方法による第１の検針指示パターンと、少なくとも１回の順次検針方法による第２の検針指示パターンと、少なくとも１回の一括検針方法による検針を実施した後検針不可で残った検針子無線機で上記順次検針方法による検針を実施する第３の検針指示パターンとを含む各検針指示パターンにおいて、当該一括検針方法による検針回数（Ｘ）及び当該順次検針方法による検針回数（Ｙ）（ここで、Ｘ，Ｙはそれぞれ０以上の整数である。）と、上記計算された第１の検針成功率（Ｓ＝ａ）及び上記計算された第２の検針成功率（Ｓ＝ｂ）とに基づいて、当該各検針指示パターンに対する第３の検針成功率（ＤＳ）とを計算するステップと、
上記検針親無線機毎に、上記第３の検針成功率（ＤＳ）が所定のしきい値以上であるときの検針指示パターンを計算し、その中で効率的な検針を実行するための所定の検針条件を満たす検針指示パターンを選択して検針を行うステップとを含むことを特徴とする。
【０００９】
また、上記自動検針方法において、上記第３の検針成功率（ＤＳ）は、次式：
ＤＳ＝１−（１−ａ）Ｘ×（１−ｂ）Ｙ
を用いて計算することを特徴とする。
【００１０】
さらに、上記自動検針方法において、上記検針条件は、上記一括検針方法による検針回数（Ｘ）と上記順次検針方法による検針回数（Ｙ）の加算値である検針指示回数が最も少ない回数でかつ検針時間が最も短い検針指示パターンであることを特徴とする。
【００１１】
第２の発明に係る自動検針装置は、
自動検針装置と、検針親無線機と、複数の検針子無線機とを備えた自動検針システムのための自動検針装置において、
上記自動検針装置は、所定の第１の通信回線を介して検針親無線機に接続され、
上記検針親無線機は、所定の第２の通信回線を介して上記各検針子無線機にそれぞれ接続され、
上記自動検針装置は、
（ａ）検針親無線機から複数の検針子無線機に対して一括検針指示電文信号を送信した後、複数の検針子無線機からの検針データを含む検針応答電文信号を検針親無線機で受信し、受信した検針応答電文信号に含まれる検針データをまとめて検針データ収集センターシステムに対して返信する一括検針方法と、
（ｂ）検針親無線機から各検針子無線機毎に順次検針指示電文信号を送信して当該各１つの検針子無線機からの検針データを含む検針応答電文信号を検針親無線機で受信し、受信した検針応答電文信号に含まれる検針データをまとめて検針データ収集センターシステムに対して返信する順次検針方法とのうちの少なくとも１つの方法を用いて検針を行う自動検針装置であって、
上記自動検針装置は、
検針親無線機毎に、過去の自動検針装置による検針において、
（ａ）上記一括検針方法により一括検針指示電文信号を送信した検針子無線機の第１ののべ個数（Ｎ）と、上記一括検針指示電文信号に応答して検針子無線機から送信されてくる検針応答電文信号を受信して検針が成功した検針子無線機の第２ののべ個数（ｎ）と、
（ｂ）上記順次検針方法により順序検針指示電文信号を送信した検針子無線機の第３ののべ個数（Ｎ）と、上記順次検針指示電文信号に応答して検針子無線機から送信されてくる検針応答電文信号を受信して検針が成功した検針子無線機の第４ののべ個数（ｎ）と
を含む検針実績データテーブル（４２）を記憶する記憶装置と、
上記記憶装置に上記検針親無線機毎に記憶された検針実績データテーブルに基づいて、上記第１ののべ個数（Ｎ）及び上記第２ののべ個数（ｎ）に基づいて、上記一括検針方法による上記第１ののべ個数（Ｎ）の検針子無線機に対する検針１回当りの第１の検針成功率（Ｓ）を計算し、上記第３ののべ個数（Ｎ）及び上記第４ののべ個数（ｎ）に基づいて、上記順次検針方法による上記第３ののべ個数（Ｎ）の検針子無線機に対する検針１回当りの第２の検針成功率（Ｓ）を計算し、
上記検針親無線機毎に、少なくとも１回の一括検針方法による第１の検針指示パターンと、少なくとも１回の順次検針方法による第２の検針指示パターンと、少なくとも１回の一括検針方法による検針を実施した後検針不可で残った検針子無線機で上記順次検針方法による検針を実施する第３の検針指示パターンとを含む各検針指示パターンにおいて、当該一括検針方法による検針回数（Ｘ）及び当該順次検針方法による検針回数（Ｙ）（ここで、Ｘ，Ｙはそれぞれ０以上の整数である。）と、上記計算された第１の検針成功率（Ｓ＝ａ）及び上記計算された第２の検針成功率（Ｓ＝ｂ）とに基づいて、当該各検針指示パターンに対する第３の検針成功率（ＤＳ）とを計算し、
上記検針親無線機毎に、上記第３の検針成功率（ＤＳ）が所定のしきい値以上であるときの検針指示パターンを計算し、その中で効率的な検針を実行するための所定の検針条件を満たす検針指示パターンを選択して検針を行う制御手段とを備えたことを特徴とする。
【００１２】
また、上記自動検針装置において、上記第３の検針成功率（ＤＳ）は、次式：
ＤＳ＝１−（１−ａ）Ｘ×（１−ｂ）Ｙ
を用いて計算することを特徴とする。
【００１３】
さらに、上記自動検針装置において、上記検針条件は、上記一括検針方法による検針回数（Ｘ）と上記順次検針方法による検針回数（Ｙ）の加算値である検針指示回数が最も少ない回数でかつ検針時間が最も短い検針指示パターンであることを特徴とする。
【００１４】
第３の発明に係る自動検針システムは、
検針親無線機と、複数の検針子無線機とを備えた自動検針システムにおいて、
上記自動検針システムは、請求項４乃至６のうちのいずれか１つに記載の自動検針装置をさらに備え、
上記自動検針装置は、所定の第１の通信回線を介して検針親無線機に接続され、
上記検針親無線機は、所定の第２の通信回線を介して上記各検針子無線機にそれぞれ接続されたことを特徴とする。
【００１５】
第４の発明に係る自動検針プログラムを記憶した記録媒体は、上記各自動検針方法のプログラムを記録したことを特徴とする。
【００１６】
【発明の実施の形態】
以下、図面を参照して本発明に係る実施形態について説明する。
【００１７】
図１は、本発明に係る一実施形態である検針データ収集センターシステム１０１の構成を示すブロック図であり、図２は、図１の検針サーバ装置１の構成を示すブロック図である。この実施形態は、図６のシステム構成を有する自動検針無線システムに関するものであり、検針サーバ装置１の検針制御部３０を備えたことを特徴とする。ここで、検針制御部３０は、検針実績データテーブル４２内の検針実績データに基づいて、検針成功率が９９％以上となり、一括検針方法の検針指示回数Ｘと順次検針方法の検針指示回数Ｙとからなる最適な検針指示パターン（Ｘ，Ｙ）を計算した後、計算された検針指示パターン（Ｘ，Ｙ）で検針処理を実行することを特徴としている。
【００１８】
図１の検針データ収集センターシステム１０１において、検針サーバ装置１には、端末装置６及び集中監視制御装置７が接続され、端末装置６又は集中監視制御装置７から検針すべき子機情報を含む検針依頼電文信号が検針サーバ装置１に送信される。検針サーバ装置１は、検針依頼電文信号に応答して、詳細後述するように図３乃至図５の検針処理を実行することにより、一括検針指示電文信号又は順次検針指示電文信号を生成して通信制御装置３、回線制御装置４、モデム装置５−１乃至５−Ｍ（以下、総称して符号５を付す。）のうちの１つ、図６の電話回線３００、及びＴ−ＮＣＵ２０１を介して親機１０に送信し、これに応答して親機１０から同一の経路で返信されてくる一括検針応答電文信号又は順次検針応答電文信号に含まれる検針データを収集する。
【００１９】
また、通信サーバ装置２には、端末装置６及び集中監視制御装置７が接続され、端末装置６又は集中監視制御装置７から検針以外のマイコンガスメータ２１の監視制御（例えば、メータ開閉、警報受信、メータ設定など）のためであって、監視制御すべき子機情報を含む監視制御電文信号が通信サーバ装置２に送信される。これに応答して通信サーバ装置２は、監視制御指示電文信号を生成して通信制御装置３、回線制御装置４、モデム装置５のうちの１つ、図６の電話回線３００、及びＴ−ＮＣＵ２０１を介して親機１０に送信することにより、子機２０の監視制御処理を実行する。
【００２０】
通信制御装置３は、検針サーバ装置１及び通信サーバ装置２と、回線制御装置４との間に挿設され、電文信号の監視制御及び交換の処理を実行する装置であり、検針サーバ装置１又は通信サーバ装置２からの指示電文信号を受信した後、回線制御装置４及びモデム装置５を介して検針指示又は監視制御するマイコンメータ２１の属する親機１０に対して送信する一方、親機１０からの応答電文信号を受信してその内容に応じて検針サーバ装置１又は通信サーバ装置２に出力する。また、回線制御装置４は、通信制御装置３と複数のモデム装置５との間に挿設され、複数のモデム装置５の動作制御を実行する装置であって、通信制御装置３からの指示電文信号を動作していないモデム装置５に出力することにより所定の親機１０に送信する一方、モデム装置５からの応答電文信号を受信して通信制御装置３に出力する。さらに、モデム装置５は、回線制御装置４から受信した指示電文信号（デジタル信号）を所定の変調方式で変調して図６の電話回線３００及びＴ−ＮＣＵ２０１を介して親機１０に送信する一方、親機１０から同一の経路で送信されてくる応答電文信号を含む変調信号を受信して上記変調方式とは逆の復調方式で復調して復調された応答電文信号（デジタル信号）を回線制御装置４に出力する。
【００２１】
図２において、検針サーバ装置１は、検針制御部３０と、処理メモリ３１と、送受信インターフェース回路３２と、送受信インターフェース回路３３とを備えて構成される。送受信インターフェース回路３２は、端末装置６及び集中監視制御装置７と検針制御部３０との間に挿設された、例えばＬＡＮ用インターフェース回路であって、端末装置６又は集中監視制御装置７からの電文信号を受信して信号変換などの処理を実行して検針制御部３０に出力する一方、検針制御部３０からの電文信号を受信して信号変換などの処理を実行して端末装置６又は集中監視制御装置７に送信する。また、送受信インターフェース回路３３は、回線制御装置４と検針制御部３０との間に挿設された、例えばインターフェース回路であって、回線制御装置４からの電文信号を受信して信号変換などの処理を実行して検針制御部３０に出力する一方、検針制御部３０からの電文信号を受信して信号変換などの処理を実行して回線制御装置４に送信する。
【００２２】
検針制御部３０にはＣＤ−ＲＯＭドライブ装置３４が接続され、図３乃至図５の検針処理のプログラムはＣＤ−ＲＯＭ３４ａに格納され、当該ＣＤ−ＲＯＭ３４ａをＣＤ−ＲＯＭドライブ装置３４に挿入して、当該検針処理のプログラムをＣＤ−ＲＯＭドライブ装置３４から検針制御部３０内のＲＡＭ又はハードディスクメモリにロードした後、検針処理を実行する。また、処理メモリ３１は、検針制御部３０に接続された、例えばハードディスクメモリであって、検針依頼データテーブル４１と、検針実績データテーブル４２と、検針指示パターンテーブル４３と、検針結果テーブル４４と、検針履歴データテーブル４５と、検針子機テーブル４６とを含む。これらのテーブル４１乃至４６の詳細については後述する。
【００２３】
次いで、検針制御部３０で実行する検針処理について詳細に説明する。この検針処理は、一括検針方法と順次検針方法を組み合わせて最も効率の良い検針パターンで検針を行うことができる処理である。上述のように、一括検針方法では、検針時間は短くて済むが、検針成功率は低いという特徴を有し、一方、順次検針方法では、検針時間は長くかかるが、検針成功率は高いという特徴を有している。本実施形態では、親機１０子機２０との間は無線伝搬であるので、無線伝搬路上での障害物や地理的条件等のために、親機１０毎に検針成功率が異なるため、親機１０毎に検針成功率データを持ち、限られた検針時間及び検針指示回数の中で最も効率の良い検針指示パターンを検針処理の都度計算する。また、検針成功率データは検針処理を実施していくたびに加算されていくので、自然と精度が高まるという特徴を有している。ここで、ある１つの親機１０において、複数Ｎ個の子機２０が存在して検針指示したときに、検針データを含む検針応答電文信号が親機１０で受信できた子機２０の数をｎとすると、検針成功率Ｓは次式で定義される。
【００２４】
【数１】
Ｓ＝（ｎ／Ｎ）×１００［％］
【００２５】
なお、本実施形態において、検針実績データテーブル４２に基づいて検針成功率を計算するときは、Ｎ及びｎともに子機２０ののべ個数となる。
【００２６】
本実施形態の検針処理の管理においては、
（１）親機１０毎に検針実績データを、一括検針方法又は順次検針方法の検針パターン別に収集する。
（２）検針実績データと検針時間に基づいて、検針データ収集センターシステム１０１内の検針サーバ装置１から親機１０への検針指示回数が最も少なく、検針サーバ装置１から検針指示電文信号を送信したときに親機１０から検針応答電文信号を受信するまでの検針時間が短くなるように検針指示パターン（Ｘ，Ｙ）を計算する。ここで、検針時間とは、検針データ収集センターシステム１０１内の検針サーバ装置１から検針指示電文信号を送信した後、親機１０から検針応答電文信号を受信するまでの時間をいう。なお、本発明者の実験によれば、例えば子機２０の個数Ｎ＝４５のとき、初回の一括検針方法による平均検針時間は約５分であり、初回の順次検針方法による平均検針時間は約３５分である。
（３）検針したら検針実績データテーブル４２を更新する。
【００２７】
次いで、処理メモリ３１内のデータファイル形式について説明する。１つの子機２０当りの検針依頼データテーブル４１のデータファイル形式を次の表に示す。
【００２８】
【表１】
１つの子機２０当りの検針依頼データテーブル４１
――――――――――――――――――――――――――――――――――
項目名                        データ名            桁数
――――――――――――――――――――――――――――――――――
ご使用番号                    ＶＡＲＣＨＡＲ２    １３
子機ＩＤ                      ＶＡＲＣＨＡＲ２    １４
親機ＩＤ                      ＶＡＲＣＨＡＲ２    １４
親機通信電話番号              ＶＡＲＣＨＡＲ２    １３
検針日                        ＤＡＴＥ              ８
――――――――――――――――――――――――――――――――――
（注）ご使用番号は顧客番号である。
【００２９】
１つの親機１０当りの検針実績データテーブル４２のデータファイル形式を次の表に示す。検針制御部３０は、１つの電文信号を処理する毎に、検針指示を出した子機２０ののべ個数及び、検針値を受け取った子機２０ののべ個数を下記のデータ項目に加算してゆく。そして、検針実績更新時は、最終更新日時にシステムの時刻ＳＹＳＤＡＴＥをセットする。
【００３０】
【表２】
１つの親機１０当りの検針実績データテーブル４２
――――――――――――――――――――――――――――――――――
項目名                                        データ名        桁数
――――――――――――――――――――――――――――――――――
親機ＩＤ                                    ＶＡＲＣＨＡＲ２  １４
一括検針方法による実施子機ののべ個数        ＮＵＭＢＥＲ      １０
一括検針方法による成功子機ののべ個数        ＮＵＭＢＥＲ      １０
順次検針方法による実施子機ののべ個数        ＮＵＭＢＥＲ      １０
順次検針方法による成功子機ののべ個数        ＮＵＭＢＥＲ      １０
最終更新日時                                ＤＡＴＥ          １２
――――――――――――――――――――――――――――――――――
【００３１】
１つの親機１０当りの検針指示パターンテーブル４３のデータファイル形式を次の表に示す。
【００３２】
【表３】
１つの親機１０当りの検針指示パターンテーブル４３
――――――――――――――――――――――――――――――――――
項目名                                        データ名        桁数
――――――――――――――――――――――――――――――――――
親機ＩＤ                                    ＶＡＲＣＨＡＲ２  １４
一括検針方法の検針指示回数                      Ｘ              ３
順次検針方法の検針指示回数                      Ｙ              ３
検針指示日時                                ＤＡＴＥ          １２
――――――――――――――――――――――――――――――――――
【００３３】
１つの子機２０当りの検針結果テーブル４４のデータファイル形式を次の表に示す。
【００３４】
【表４】
１つの子機２０当りの検針結果テーブル４４
――――――――――――――――――――――――――――――――――
項目名                                        データ名        桁数
――――――――――――――――――――――――――――――――――
ご使用番号                                ＶＡＲＣＨＡＲ２    １３
子機ＩＤ                                  ＶＡＲＣＨＡＲ２    １４
検針値                                    ＶＡＲＣＨＡＲ２      ９
――――――――――――――――――――――――――――――――――
【００３５】
１つの親機１０当りの検針履歴データテーブル４５のデータファイル形式を次の表に示す。
【００３６】
【表５】
１つの親機１０当りの検針履歴データテーブル４５
――――――――――――――――――――――――――――――――――
項目名                                        データ名        桁数
――――――――――――――――――――――――――――――――――
親機ＩＤ                                      ＶＡＲＣＨＡＲ  １４
一括検針方法による検針指示回数                ＮＵＭＢＥＲ      ２
順次検針方法による検針指示回数                ＮＵＭＢＥＲ      ２
検針所要時間                                  ＮＵＭＢＥＲ      ２
検針開始日時                                  ＤＡＴＥ        １２
――――――――――――――――――――――――――――――――――
【００３７】
検針処理において検針すべき子機２０を格納する検針子機テーブル４６のデータファイル形式を次の表に示す。この検針子機テーブル４６内の情報は、検針成功のときに削除される。
【００３８】
【表６】
――――――――――――――――――――――――――――――――――
項目名                                        データ名        桁数
――――――――――――――――――――――――――――――――――
子機ＩＤ                                  ＶＡＲＣＨＡＲ２    １４
――――――――――――――――――――――――――――――――――
【００３９】
本実施形態においては、検針制御部３０は、検針指示電文信号を生成するときに、検針実績データテーブル４２より検針成功率を計算して、例えば検針指示回数が５回以下で、９９％以上成功する検針指示パターン（Ｘ，Ｙ）を求め、その中から検針指示回数が最も少ない回数でかつ検針時間が最も短い検針指示パターンを採用して検針を実行する。なお、実際の検針は検針できる時間帯に制限があり、その中で多数の親機１０を稼動させる必要がある。そのため、１つの親機１０が検針指示を受けたとき使える時間は３０分程度になることが考えられる。また、初回の検針では、親機１０に属するすべての子機２０に対して検針対象にする。
【００４０】
検針処理において検針指示パターンを求めるときに用いる検針成功率及び検針時間の計算方法について以下に説明する。検針成功率ＤＳは、各親機１０毎に次式で定義される。
【００４１】
【数２】
ＤＳ＝１−（１−ａ）X×（１−ｂ）Y
【００４２】
ここで、ａは一括検針方法によるすべての子機２０に対する検針１回当りの検針成功率であり、ｂは順次検針方法によるすべての子機２０に対する検針１回当りの検針成功率である。
【００４３】
いま、検針指示パターン（Ｘ，Ｙ）のときに、１つの親機１０に属する４５個の子機２０に対する一括検針方法による検針の平均所要時間を５分とすると、ｘ回目の一括検針方法の所要時間ＴＸ（分）は次式で表すことができる。
【００４４】
【数３】
ＴＸ＝５×（１−ａ）(x-1)
【００４５】
また、一括検針方法による検針をＸ回実施した後、残った子機２０で順次検針方法による検針を実施し、ここで、１つの親機１０に属する４５個の子機２０に対する順次検針方法による検針の平均所要時間を３５分とすると、ｙ回目の順次検針方法の所要時間ＴＹ（分）は次式で表すことができる。
【００４６】
【数４】
ＴＹ＝３５×（１−ａ）X×（１−ｂ）(y-1)
【００４７】
これらの時間を合計することにより、１つの親機１０に属する４５個の子機２０に対する検針時間ＴＸＹは次式で表される。
【００４８】
【数５】
0003815915.tif 000002
【００４９】
次いで、検針成功率及び検針時間の計算例について説明する。まず、一括検針方法による検針成功率が７０％であり、順次検針方法による検針成功率が９０％である場合の検針成功率及び検針時間の計算例を次の表に示す。なお、検針指示回数はＸ＋Ｙである。
【００５０】
【表７】
一括検針方法による検針成功率が７０％であり、
順次検針方法による検針成功率が９０％である場合の
検針成功率及び検針時間の計算例
――――――――――――――――――――――――――――――――――
Ｘ    Ｙ    検針指示回数    検針成功率（％）      検針時間（分）
――――――――――――――――――――――――――――――――――
１    ０        １          ０．７                  ５
１    １        ２          ０．９７              １５．５
１    ２        ３          ０．９９７            １６．５５
１    ３        ４          ０．９９９７          １６．６５５
１    ４        ５          ０．９９９９７        １６．６６５５
２    ０        ２          ０．９１                ６．５
２    １        ３          ０．９９１              ９．６５
２    ２        ４          ０．９９９１            ９．９６５
２    ３        ５          ０．９９９９１          ９．９９６５
３    ０        ３          ０．９７３              ６．９５
３    １        ４          ０．９９７３            ７．８９５
３    ２        ５          ０．９９９７３          ７．９８９５
４    ０        ４          ０．９９１９            ７．０８５
４    １        ５          ０．９９９１９          ７．３６８５
５    ０        ５          ０．９９７５７          ７．１２５５
――――――――――――――――――――――――――――――――――
【００５１】
表７の計算例では、検針成功率が９９％以上のもので最も検針指示回数が少ないもののうちで、検針時間が最も短いものは、検針指示パターンは（２，１）である。
【００５２】
次いで、一括検針方法による検針成功率が５０％であり、順次検針方法による検針成功率が８０％である場合の検針成功率及び検針時間の計算例を次の表に示す。
【００５３】
【表８】
一括検針方法による検針成功率が５０％であり、
順次検針方法による検針成功率が８０％である場合の
検針成功率及び検針時間の計算例
――――――――――――――――――――――――――――――――――
Ｘ    Ｙ    検針指示回数    検針成功率（％）      検針時間（分）
――――――――――――――――――――――――――――――――――
１    ０        １            ０．５                ５
１    １        ２            ０．９              ２２．５
１    ２        ３            ０．９８            ２６
１    ３        ４            ０．９９６          ２６．７
１    ４        ５            ０．９９９２        ２６．８４
２    ０        ２            ０．７５              ７．５
２    １        ３            ０．９５            １６．２５
２    ２        ４            ０．９９            １８
２    ３        ５            ０．９９８          １８．３５
３    ０        ３            ０．８７５            ８．７５
３    １        ４            ０．９７５          １３．１２５
３    ２        ５            ０．９９５          １４
４    ０        ４            ０．９３７５          ９．３７５
４    １        ５            ０．９８７５        １１．５６２５
５    ０        ５            ０．９６８７５        ９．６８７５
――――――――――――――――――――――――――――――――――
【００５４】
表８の計算例では、検針成功率が９９％以上のもので最も検針指示回数が少ないもののうちで、検針時間が最も短いものは、検針指示パターンは（２，２）である。
【００５５】
図３は、図２の検針制御部３０によって実行される検針処理を示すフローチャートである。図３において、まず、ステップＳ１において検針依頼電文信号を受信したか否かが判断され、ＹＥＳとなるまで待機し、ＹＥＳとなったとき、ステップＳ２において受信した検針依頼電文信号に含まれる検針依頼データに基づいて、各親機１０毎に検針依頼データを分類整理して検針依頼データテーブル４１に格納する。次いで、ステップＳ３において検針実積データテーブル４２内の検針実積データに基づいて、表７又は表８のように検針成功率や検針時間を計算し、各親機１０毎に検針成功率が９９％以上の検針指示パターン（Ｘ，Ｙ）を求め、その中で検針指示回数（＝Ｘ＋Ｙ）が最も少ない回数でかつ検針時間が最も短い検針指示パターン（Ｘ，Ｙ）を、実行すべき検針指示パターンとして検針指示パターンテーブル４３に格納する。なお、ステップＳ３での処理は、過去の自動検針方法による検針実績データに基づいて、検針推定成功率及び検針推定時間を計算している。さらに、ステップＳ４において図４及び図５の検針指示送受信処理を実行してステップＳ１に戻る。
【００５６】
図４及び図５は、図３のサブルーチンである検針指示送受信処理を示すフローチャートである。図４のステップＳ１２からステップＳ１６までは一括検針方法による検針をＸ回実行する処理であり、図４のステップＳ１７からステップＳ２１までは順次検針方法による検針をＹ回実行する処理である。
【００５７】
図４において、まず、ステップＳ１０において検針指示パターン（Ｘ，Ｙ）のＸ，Ｙをそれぞれ変数パラメータｘ，ｙに代入し、ステップＳ１１において検針指示すべき親機１０を１つ選択し、検針指示すべき検針子機２０のＩＤを検針子機テーブル４６に格納し、次いで、ステップＳ１２において選択された親機１０に対する電文信号であって、検針子機テ−ブル４６に格納された子機２０に関する一括検針指示電文信号を生成して送信する。そして、所定の時間だけ待機した後、ステップＳ１３において一括検針応答電文信号を受信してそれに含まれる検針データを検針結果テーブル４４に格納し、ステップＳ１４において検針が成功した子機２０を検針子機テーブル４６から除去する。そして、ステップＳ１５において変数パラメータｘを１だけデクリメントし、ステップＳ１６においてｘ＝０であるか否かが判断され、ＹＥＳのときはステップＳ１７に進む一方、ＮＯのときは再度一括検針方法による検針を実行するためステップＳ１２に戻る。
【００５８】
次いで、ステップＳ１７において選択された親機１０に対する電文信号であって、検針子機テーブル４６に格納された子機２０に関する順次検針指示電文信号を生成して送信し、所定の時間だけ待機した後、ステップＳ１８において順次検針応答電文信号を受信してそれに含まれる検針データを検針結果テーブル４４に格納し、ステップＳ１９において検針が成功した子機２０を検針子機テーブル４６から除去する。そして、ステップＳ２０において変数パラメータｙを１だけデクリメントし、ステップＳ２１においてｙ＝０であるか否かが判断され、ＹＥＳのときは図５のステップＳ２２に進む一方、ＮＯのときは再度順次検針方法による検針を実行するためステップＳ１７に戻る。
【００５９】
図５のステップＳ２２において選択された親機１０に対する累積の検針実績データを生成して検針実績データテーブル４２内のデータを更新し、ステップＳ２３において生成された検針実績データに基づいて履歴データを生成して検針履歴データテーブル４５に格納する。そして、ステップＳ２４において検針指示すべきすべての親機１０に対して処理したか否かが判断され、ＹＥＳのときは当該検針指示送受信処理を終了する一方、ＮＯのときは他の親機１０について処理するためにステップＳ２５に進む。ステップＳ２５において検針指示すべき別の親機１０を１つ選択し、検針指示すべき子機２０のＩＤを検針子機テーブル４６に格納して、ステップＳ１２に戻る。
【００６０】
以上説明したように、本実施形態によれば、検針制御部３０は、検針実積データテーブル４２内の検針実積データに基づいて、各親機１０毎に検針成功率が９９％以上の検針指示パターン（Ｘ，Ｙ）を求め、その中で検針指示回数が最も少ない回数でかつ検針時間が最も短い検針指示パターン（Ｘ，Ｙ）を、実行すべき検針指示パターンとして検針指示パターンテーブル４３に格納した後（図３のステップＳ３）、検針指示電文信号を送受信する検針指示処理を実行することにより検針を行う。従って、過去の自動検針方法による検針実績データテーブルに基づいて最適な検針指示パターンを選択して、検針を行うことができるので、時間的に効率的にかつ通信コストを含む実施コストを大幅に軽減することができる。
【００６１】
＜変形例＞
以上の実施形態においては、検針成功率が９９％以上成功する検針指示パターン（Ｘ，Ｙ）を求め、その中から検針指示回数が最も少ない回数でかつ検針時間が最も短い検針指示パターンを採用して検針を実行しているが、本発明はこれに限らず、例えば親機１０の個数が多く検針時間が限られ、検針時間をできる限り短縮したいときは、検針成功率が９９％以上成功する検針指示パターン（Ｘ，Ｙ）を求め、その中から検針指示回数にかかわらず、検針時間が最も短い検針指示パターンを採用して検針を実行してもよい。また、検針指示パターンを求めるときの検針成功率は９９％以上に限らず、９０％以上などの他の数値であってもよい。
【００６２】
以上の実施形態においては、図３乃至図５の検針処理のプログラムをＣＤ−ＲＯＭ３４ａに格納して、当該ＣＤ−ＲＯＭ３４ａをＣＤ−ＲＯＭドライブ装置３４に挿入して、当該検針処理のプログラムをＣＤ−ＲＯＭドライブ装置３４から検針制御部３０内のＲＡＭ又はハードディスクメモリにロードした後、検針処理を実行している。本発明は、これに限らず、検針処理のプログラムを、ハードディスク、フロッピーディスク、ＤＶＤ、ＣＤ−Ｒ、ＣＤ−ＲＷ、ＭＯなどの他の記録媒体に記録してもよい。
【００６３】
以上の実施形態においては、検針データ収集センターシステム１０１とＴ−ＮＣＵ２１０との間は、電話回線３００を用いて接続しているが、本発明はこれに限らず、専用線やＩＳＤＮ回線などの有線回線、もしくは携帯電話又はＰＨＳなどの無線回線等の所定の通信回線を用いてもよい。
【００６４】
以上の実施形態においては、１つの親機１０に属する子機２０を固定して考えているが（メインルートでの検針）、本発明はこれに限らず、検針できなかった子機２０について別の親機１０からのサブルートで検針指示電文信号を送信するようにしてもよい。この場合において、例えば、検針実績データテーブル４２では、メインルートとサブルートとを考慮しなくてもよい。また、サブルートでの検針を実施するときは以下のように補足的に行う。例えば、１つの親機１０で５個以上の子機２０が不成功である場合は、サブルートでの一括検針方法による検針を１回実施し、一方、１つの親機１０で５個未満の子機２０が不成功である場合、並びに、一括検針方法によって不成功であった子機２０に対して、サブルートでの順次検針方法を１回実施するようにしてもよい。
【００６５】
以上の実施形態においては、検針データ収集センターシステム１０１は図１の符号１から７に示す装置で構成しているが、本発明はこれに限らず、図３乃至図５の検針処理のプログラムを実行可能な装置であればよい。
【００６６】
【発明の効果】
以上詳述したように本発明に係る自動検針方法又は装置によれば、検針親無線機と複数の検針子無線機とを備えた自動検針システムにおいて、
（ａ）検針親無線機から複数の検針子無線機に対して一括検針指示電文信号を送信した後、複数の検針子無線機からの検針データを含む検針応答電文信号を検針親無線機で受信し、受信した検針応答電文信号に含まれる検針データをまとめて検針データ収集センターシステムに対して返信する一括検針方法と、
（ｂ）検針親無線機から各検針子無線機毎に順次検針指示電文信号を送信して当該各１つの検針子無線機からの検針データを含む検針応答電文信号を検針親無線機で受信し、受信した検針応答電文信号に含まれる検針データをまとめて検針データ収集センターシステムに対して返信する順次検針方法とのうちの少なくとも１つの方法を用いて検針を行う自動検針方法又は装置であって、
検針親無線機毎に、過去の自動検針方法による検針において、
（ａ）上記一括検針方法により一括検針指示電文信号を送信した検針子無線機の第１ののべ個数（Ｎ）と、上記一括検針指示電文信号に応答して検針子無線機から送信されてくる検針応答電文信号を受信して検針が成功した検針子無線機の第２ののべ個数（ｎ）と、
（ｂ）上記順次検針方法により順序検針指示電文信号を送信した検針子無線機の第３ののべ個数（Ｎ）と、上記順次検針指示電文信号に応答して検針子無線機から送信されてくる検針応答電文信号を受信して検針が成功した検針子無線機の第４ののべ個数（ｎ）と
を含む検針実績データテーブル（４２）を記憶装置に記憶し、
上記記憶装置に上記検針親無線機毎に記憶された検針実績データテーブルに基づいて、上記第１ののべ個数（Ｎ）及び上記第２ののべ個数（ｎ）に基づいて、上記一括検針方法による上記第１ののべ個数（Ｎ）の検針子無線機に対する検針１回当りの第１の検針成功率（Ｓ）を計算し、上記第３ののべ個数（Ｎ）及び上記第４ののべ個数（ｎ）に基づいて、上記順次検針方法による上記第３ののべ個数（Ｎ）の検針子無線機に対する検針１回当りの第２の検針成功率（Ｓ）を計算し、
上記検針親無線機毎に、少なくとも１回の一括検針方法による第１の検針指示パターンと、少なくとも１回の順次検針方法による第２の検針指示パターンと、少なくとも１回の一括検針方法による検針を実施した後検針不可で残った検針子無線機で上記順次検針方法による検針を実施する第３の検針指示パターンとを含む各検針指示パターンにおいて、当該一括検針方法による検針回数（Ｘ）及び当該順次検針方法による検針回数（Ｙ）（ここで、Ｘ，Ｙはそれぞれ０以上の整数である。）と、上記計算された第１の検針成功率（Ｓ＝ａ）及び上記計算された第２の検針成功率（Ｓ＝ｂ）とに基づいて、当該各検針指示パターンに対する第３の検針成功率（ＤＳ）とを計算し、
上記検針親無線機毎に、上記第３の検針成功率（ＤＳ）が所定のしきい値以上であるときの検針指示パターンを計算し、その中で効率的な検針を実行するための所定の検針条件を満たす検針指示パターンを選択して検針を行う。
【００６７】
ここで、上記検針条件は、一括検針方法による検針回数と順次検針方法による検針回数の加算値である検針指示回数が最も少ない回数でかつ検針時間が最も短い検針指示パターンである。
【００６８】
従って、本発明によれば、過去の自動検針方法による検針実績データテーブルに基づいて最適な検針指示パターンを選択して、検針を行うことができるので、時間的に効率的にかつ通信コストを含む実施コストを大幅に軽減することができる。
【図面の簡単な説明】
【図１】  本発明に係る一実施形態である検針データ収集センターシステム１０１の構成を示すブロック図である。
【図２】  図１の検針サーバ装置１の構成を示すブロック図である。
【図３】  図２の検針制御部３０によって実行される検針処理を示すフローチャートである。
【図４】  図３のサブルーチンである検針指示送受信処理の第１の部分を示すフローチャートである。
【図５】  図３のサブルーチンである検針指示送受信処理の第２の部分を示すフローチャートである。
【図６】  従来例の固定式自動検針無線システムの構成を示すブロック図である。
【符号の説明】
１…検針サーバ装置、
２…通信サーバ装置、
３…通信制御装置、
４…回線制御装置、
５，５−１乃至５−Ｍ…モデム装置、
６…端末装置、
７…集中監視制御装置、
１０…検針親無線機（親機）、
１０ａ…アンテナ、
２０、２０−１乃至２０−Ｎ…検針子無線機（子機）、
２０ａ、２０ａ−１乃至２０ａ−Ｎ…アンテナ、
２１、２１−１乃至２１−Ｎ…マイコンガスメータ、
３０…検針制御部、
３１…処理メモリ、
３２…送受信インターフェース回路、
３３…送受信インターフェース回路、
３４…ＣＤ−ＲＯＭドライブ装置、
３４ａ…ＣＤ−ＲＯＭ、
４１…検針依頼データテーブル、
４２…検針実績データテーブル、
４３…検針指示パターンテーブル、
４４…検針結果テーブル、
４５…検針履歴データテーブル、
４６…検針子機テーブル、
１００…検針データ収集センター、
１０１…検針データ収集センターシステム、
２００…検針対象エリア、
２０１…Ｔ−ＮＣＵ、
３００…電話回線。
【図１】
0003815915.tif 000003
【図２】
0003815915.tif 000004
【図３】
0003815915.tif 000005
【図４】
0003815915.tif 000006
【図５】
0003815915.tif 000007
【図６】
0003815915.tif 000008